(57)【要約】【課題】  匂いや液体等が漏れることを防止することが可能な包装体を提供すること。【解決手段】  包装体Ａは、被包装物３と、被包装物３を非密閉状態で収容する内箱１と、内箱１を密閉状態で収容する外袋２と、を備える。【選択図】  図１
2018115023.tif 000002
【特許請求の範囲】
【請求項１】
被包装物と、
前記被包装物を非密閉状態で収容する内箱と、
前記内箱を密閉状態で収容する外袋と、
を備えることを特徴とする、包装体。
【発明の詳細な説明】
【技術分野】
【０００１】
本発明は、食品等を収容する包装体に関する。
【背景技術】
【０００２】
たとえば、豚まん、餃子、焼売等の食品をはじめとする被包装物を収容する包装体として、紙箱を利用したものが提案されている（特許文献１）。紙箱を用いた包装体は、使用前には折り畳んだ状態でコンパクトに保管可能であることや、作業者が容易に組み立てられること、表面に印刷等の商品等表示を施しやすいこと、等の利点がある。
【０００３】
しかしながら、紙箱は、たとえば本体部と蓋部によって構成されている。このため、上述した食品等をはじめとする被包装物を紙箱に収容した状態であっても、紙箱には、本体部と蓋部との隙間等が存在する。したがって、豚まん、餃子、焼売等の匂いが外部に漏れてしまうという不具合が生じる。また、被包装物が液体等を生じさせるものである場合、紙箱の外部に液体が漏れてしまうことが懸念される。
【先行技術文献】
【特許文献】
【０００４】
【特許文献１】特開２０１０−２４１４８８号公報
【発明の概要】
【発明が解決しようとする課題】
【０００５】
本発明は、上記した事情のもとで考え出されたものであって、匂いや液体等が漏れることを防止することが可能な包装体を提供することをその課題とする。
【課題を解決するための手段】
【０００６】
本発明によって提供される包装体は、被包装物と、前記被包装物を非密閉状態で収容する内箱と、前記内箱を密閉状態で収容する外袋と、を備えることを特徴としている。
【発明の効果】
【０００７】
本発明によれば、前記被包装物からの匂いや液体が前記内箱から漏れ出たとしても、このような匂いや液体を前記外袋内に留まらせることが可能である。したがって、前記包装体の外部に匂いや液体等が漏れることを防止することができる。
【０００８】
本発明のその他の特徴および利点は、添付図面を参照して以下に行う詳細な説明によって、より明らかとなろう。
【図面の簡単な説明】
【０００９】
【図１】本発明に係る包装体の一例を示す斜視図である。
【図２】図１のＩＩ−ＩＩ線に沿う断面図である。
【図３】本発明に係る包装体の製造方法の一例を示す斜視図である。
【発明を実施するための形態】
【００１０】
以下、本発明の好ましい実施の形態につき、図面を参照して具体的に説明する。
【００１１】
図１および図２は、本発明に係る包装体の一例を示している。本実施形態の包装体Ａは、内箱１、外袋２および被包装物３を備えている。
【００１２】
図１は、包装体Ａを示す斜視図である。図２は、図１のＩＩ−ＩＩ線に沿う断面図である。図１においては、外袋２が内部を視認可能な透明な材質によって形成されている場合を示しており、内部の内箱１を実線にて描いている。
【００１３】
被包装物３は、内箱１に収容されるものである。被包装物３の具体的な種類、大きさ、個数等は特に限定されない。匂いや液体を生じる被包装物３の具体例を挙げると、豚まん、餃子、焼売、弁当等の食品が挙げられる。また、匂いを発する被包装物３の例として、たとえば化粧品や匂い袋等が挙げられる。
【００１４】
内箱１は、被包装物３を収容するものである。内箱１の材質は特に限定されず、紙、樹脂、金属等の様々な材質を選択することができる。以降の説明においては、作業者の取扱やすさやコスト等に優れる厚紙によって内箱１が構成されている場合を例に説明する。この場合、内箱１は、平坦な厚紙材料を適宜切断、折曲げ、差し込みおよび接合等の工程を経ることによって形成される。
【００１５】
図示された例においては、内箱１は、本体部１１および蓋部１２を有する。本体部１１は、底を有し上方に大きく開口する部分であり、被包装物３を主に収容する部位である。蓋部１２は、一端縁が本体部１１に連結されており、本体部１１に対して開閉可能となっている。
【００１６】
被包装物３を収容する状態においては、蓋部１２が本体部１１の開口を塞ぐ。ただし、厚紙等によって形成された本体部１１および蓋部１２は、各々が僅かに撓む。このため、本体部１１と蓋部１２との間には、若干の隙間が不可避的に生じる。したがって、内箱１は、被包装物３を非密閉の状態で収容している。
【００１７】
外袋２は、内箱１を密閉状態で収容するものである。外袋２の具体的構成は特に限定されないが、内箱１に商品等表示が印刷されている場合などは、外袋２は、内部を視認可能な透明な材質によって形成されていることが好ましい。このような透明な材質としては、たとえば樹脂フィルムが挙げられる。
【００１８】
図示された例においては、外袋２は、収容部２１および接合部２２を有する。収容部２１は、樹脂フィルムが筒状に形成された部位であり、内箱１を収容する。接合部２２は、収容部２１の両端に設けられており、収容部２１を密閉状態で塞いでいる。
【００１９】
接合部２２の構成は、収容部２１を密閉状態としうるものであれば特に限定されない。接合部２２としては、たとえば外袋２の内面同士がヒートシールされたシール部分が挙げられる。このような場合、外袋２の内面層は、ポリエチレンやポリオプロピレン等のヒートシール可能な樹脂によって構成される。また、外袋２の外面層は、内箱１を適切に保護し得る強度を確保する等の観点から、たとえばＰＥＴや塩化ビニル等の樹脂によって構成される。
【００２０】
図３は、包装体Ａの製造方法の一例を示している。同図においては、まず、蓋部１２が開かれた内箱１の本体部１１に所定量の被包装物３を収容する（二点鎖線での記載部分）。次いで、蓋部１２を閉じることにより本体部１１を塞ぐ。次いで、少なくとも一端が開口した外袋２の収容部２１に、被包装物３を収容した内箱１の全体を挿入する。そして、たとえばヒーターを内蔵した金属部材等によって構成されたヒートシールバー４によって、外袋２の一端を挟む。これにより、接合部２２が形成され、収容部２１が密閉される。これにより、被包装物３を収容した内箱１が密閉状態で外袋２に収容された包装体Ａが完成する。
【００２１】
次に、包装体Ａの作用について説明する。
【００２２】
本実施形態によれば、被包装物３からの匂いや液体が内箱１から漏れ出たとしても、このような匂いや液体を外袋２内に留まらせることが可能である。したがって、包装体Ａの外部に匂いや液体等が漏れることを防止することができる。たとえば、被包装物３が豚まん、餃子、焼売等である場合、特有の匂いが内箱１から漏れることが避けられない。このような場合であっても、被包装物３からの匂いが外袋２から漏れることを防止することが可能であり、店頭で購入した餃子や焼売を、公共交通機関を利用して周囲に迷惑をかけることなく快適に持ち帰ることができる。
【００２３】
厚紙からなる内箱１は、使用前には折り畳んだ状態でコンパクトに保管可能であることや、作業者が容易に組み立てられること、表面に印刷等の商品等表示を施しやすいこと、等の利点がある。また、透明な樹脂からなる外袋２は、内箱１を視認状態で収容しつつ、被包装物３からの匂いや液体が漏れることを防止するのに適している。ヒートシールによって接合部２２を形成する構成は、内箱１の被包装物３を箱詰めした後に、手軽に接合部２２を形成可能であるという利点がある。
【００２４】
本発明に係る包装体は、上述した実施形態に限定されるものではない。本発明に係る包装体の各部の具体的な構成は、種々に設計変更自在である。
【符号の説明】
【００２５】
Ａ    ：包装体
１    ：内箱
２    ：外袋
３    ：被包装物
４    ：ヒートシールバー
１１  ：本体部
１２  ：蓋部
２１  ：収容部
２２  ：接合部
【図１】
2018115023.tif 000003
【図２】
2018115023.tif 000004
【図３】
2018115023.tif 000005